(57)【要約】【課題】本発明は、主要画像のまわりで背景が動いて見える新規の万華鏡を提供する。【解決手段】内面が鏡面により形成された鏡筒の一方端に設けられている覗き孔から覗いて模様と当該模様の変化とを見て楽しむ形式の万華鏡において、上記模様の構成部は、背景画にしうる形成にされると共に上記覗き孔と上記背景画構成部との間には、キリスト像、仏像、十字架像等の象徴体を表すような主要画像構成部が配装され、上記背景画構成部は、鏡筒の他方端部内に流動物が封入されると共に当該封入流動物中に小片、ビーズ、石等の遊動物が遊動自在に投入されることによって形成されたものである。【選択図】        図２
2004294867.tif 000002
【特許請求の範囲】
【請求項１】
内面が鏡面により形成された鏡筒の一方端に設けられている覗き孔から覗いて模様と当該模様の変化とを見て楽しむ形式の万華鏡において、背景構成部と主要画像構成部とが設けられ、上記背景画構成部により、上記模様が背景画となりうるように形成にされ、上記覗き孔と上記背景画構成部との間には、上記主要画像構成部が配装されていることを特徴とする万華鏡。
【請求項２】
上記背景画構成部は、鏡筒の他方端部内に所定の粘度を有する流動物が封入されると共に当該流動物中に小径の遊動物が遊動自在に配置されることによって形成されていることを特徴とする請求項１記載の万華鏡。
【請求項３】
上記主要画像構成部は、上記覗き孔と上記背景画構成部との間に張設された透明幕により形成され、当該透明幕に主要画像が表示されることを特徴とする請求項１または２記載の万華鏡。
【請求項４】
上記主要画像構成部は、上記主要画像の覗き孔側の面を明るくする入光部を有することを特徴とする請求項１、２または３記載の万華鏡。
【請求項５】
上記主要画像は、キリスト、仏像又は十字架の宗教的象徴物であることを特徴とする請求項１、２、３または４記載の万華鏡。
【請求項６】
上記小径の遊動物は、ビーズ、小石又は、色紙の小片であることを特徴とする請求項２記載の万華鏡。
【発明の詳細な説明】
【０００１】
【発明が属する技術分野】
本発明は、主要画像のまわりで背景が動いて見える万華鏡に関する。
【０００２】
【従来の技術】
従来知られているこの種の万華鏡は、内面が鏡面に形成された多角筒体の中に色紙等の小片を封入して構成され、上記多角筒体を回しながら筒体の一方端に設けられている覗き孔から覗いて、これらの小片により形成される美しい模様と、その変化を見て楽しむようにされたものであった（実用新案登録第３０２７７５０号公報参照）。
【０００３】
【特許文献１】
実用新案登録第３０２７７５０号公報
【０００４】
しかしながら、覗き孔から覗いたときに、主要画像のまわりで背景が動いて見える形式の万華鏡は、従来見当らない
【０００５】
【発明が解決しようとする課題】
【０００６】
上記従来の技術に述べた万華鏡は、多角筒体を回した時に動く小片の移動により起きる模様の変化しか見ることができなかった。
【０００７】
また、上記小片の移動スピードは、比較的早く、筒体の回転スピードをコントロールだけで、ゆっくりさせることは困難であった。
【０００８】
さらに、このような万華鏡の転々変化する画像の中に、例えば、仏像等の宗教的象徴物を浮かび上がらせることができれば、人々の信仰心の惹起に役立つ。
【０００９】
そこで、本発明は、主要画像のまわりで背景が動いて見える新規の万華鏡を提供することを第一の目的とする。
【００１０】
また、本発明は、見て楽しむときに上記背景がゆっくりと動いて楽しめる新規の万華鏡を提供することを第二の目的とする。
【００１１】
さらに、本発明は、上記主要画像が容易に構成できる新規の万華鏡を提供することを第三の目的とする。
【００１２】
さらにまた、本発明は、使用することによって信仰心を喚起することができる新規の万華鏡を提供することを第四の目的とする。
【００１３】
【課題を解決するための手段】
上記各目的を達成するために本発明に係る万華鏡は、内面が鏡面により形成された鏡筒の一方端に設けられている覗き孔から覗いて模様と当該模様の変化とを見て楽しむ形式の万華鏡において、背景構成部と主要画像構成部とが設けられ、上記背景画構成部により、上記模様が背景画になりうるように形成にされ、上記覗き孔と上記背景画構成部との間には、主要画像構成部が配装されていることを特徴とする。
【００１４】
そして、上記背景画構成部は、鏡筒の他方端部内に所定の粘度を有する流動物が封入されると共に当該流動物中に小径の遊動物が遊動自在に配置されることによって形成されていることを特徴とする。
【００１５】
また、上記主要画像構成部は、上記覗き孔と上記背景画構成部との間に張設された透明幕により形成され、当該透明幕に主要画像が表示されることを特徴とする。
【００１６】
また、上記主要画像構成部は、上記主要画像の覗き孔側の面を明るくする入光部を有することを特徴とする。
【００１７】
また、上記主要画像は、キリスト、仏像又は十字架の宗教的象徴物であることを特徴とする。
【００１８】
また、上記小径の遊動物は、ビーズ、小石又は、色紙の小片であることを特徴とする。
【００１９】
【発明の実施の形態】
図１及び図２は、本発明に係る万華鏡の実施の形態を示すものであって、図１は一部切截側面図であり、図２は図１ＡーＡ線に沿う拡大断面図である。
【００２０】
本実施の形態に係る万華鏡２０は、一方端面が閉塞され、当該閉塞された一方端面壁１の中央に覗き孔２が開設された断面形状が正方形の外筒３と、上記外筒３の中央部分４の内周面に４枚の鏡板５が張設された正方形筒状の鏡筒部６と、上記外筒３の一方端部７内に設けられた主要画像構成部８と、上記外筒３の他方端部９内に設けられた背景画構成部１０とにより形成されている。
【００２１】
上記主要画像構成部８は、上記外筒３における上記中央部分４と上記一方端部７との間の箇所内に四辺形枠部１１が設けられ、上記四辺形枠部１１張設された透明幕１２により形成され、この透明幕１２の中央箇所には仏像を表す主要画像１３が設けられている。この主要画像１３は光を透過し得る素材により構成され、この主要画像１３の周りには、透明部分１２ａが残されている。
【００２２】
また、上記主要画像構成部８には、上記主要画像１３の覗き孔側の面を明るくする孔状の入光部１９が開設されている。この入光部１９を介して外方から光を取り入れて上記主要画像１３を浮かび上がらせることができる。なお、覗き孔２０からの入光もあるので、上記入光部１９を設けない構成で実施することもできる。
【００２３】
本実施の形態にあっては、上記主要画像１３は仏像により形成されているが、本実施の形態に限定されず、キリスト像、十字架、アイドル、スター像、その他の像を表示することができる。また、主要画像１３は、上記のように光を透過する、「透かし絵」として構成され、その透かし部分から背景画が見えるように形成されている。また、本実施の形態にあっては、主要画像構成部８が透明幕１２により形成されているが、本実施の形態に限定されず、透明幕の代わりに、透明ガラス板、透明合成樹脂板を用いることができる。
【００２４】
上記背景画構成部１０は、外筒３の他方端部９内に直方体形状を呈する透明材料製の中空密閉体１４が嵌着され、上記中空密閉体１４内には、中空密封体１４が回転した場合であっても、時間差を以って追随して動く程度の、所定の粘度を有する流動物１５が封入されると共に当該封入流動物１５中には、遊動物１６が遊動自在に配置されることによって形成されている。
【００２５】
上記流動物１５は、無色透明なオイルである。この無色透明オイルの代りに有色透明オイル、その他の液体を封入することができる。
【００２６】
上記遊動物１６は、光の照射を受けた際に光を反射し得る金属小片１７、ビーズ１８である。そして、本発明はこれ等小片１７、ビーズ１８にさらに、色付き砂状の小粒物、その他の小粒物をさらに混入することができる。
【００２７】
【作用】
上記実施の形態にあっては、本実施形態に係る万華鏡２０を回しながら若しくは一旦回してから覗き孔２を覗いた場合、背景画構成部１０における遊動物１６は、封入流動物１５の粘性や遊動物１６の比重等の関係で、封入流動物１５中ではゆっくり動き、結果としてゆっくり動く画像を背景画として作り出すことになる。
【００２８】
すなわち、上記実施の形態に係る万華鏡２０によれば、使用者が、上記封入流動物１５内において適宜散在する遊動物１６により形成される模様からなる背景画と、当該模様からなる背景画の変化とを見て楽しむ際に、使用者は、背景画の中に主要画像１３が浮かび上がり、この主要画像１３の周囲に背景画が動いている場景をみることができる。
【００２９】
また、上記実施の形態にあっては、その主要画像１３は、予め当該主要画像１３を印刷等で表示した透明幕１２を用意しておき、この透明幕１２を四辺形枠部１１に張設することで簡単且つ容易に得ることができる。
【００３０】
【発明の効果】
請求項１に係る万華鏡にあっては、内面が鏡面により形成された鏡筒の一方端に設けられている覗き孔から覗いて模様と当該模様の変化とを見て楽しむ形式の万華鏡において、背景構成部と主要画像構成部とが設けられ、上記背景画構成部により、上記模様が背景画になりうるように形成にされ、上記覗き孔と上記背景画構成部との間には、主要画像構成部が配装されていることから、使用者は、覗き孔から覗いて主要画像と背景画と当該背景画の変化とを同時に見て楽しむことができる。
【００３１】
また、請求項２に係る万華鏡にあっては、上記背景画構成部は、鏡筒の他方端部内に所定の粘度を有する流動物が封入されると共に当該流動物中に小径の遊動物が遊動自在に配置されることによって形成されていることから、万華鏡を回転させる場合には、回転にやや遅れて流動物が追随して回転することから、流動物内の遊動物はゆっくりと流動物内を動くため、模様の変化も緩慢に行われ、使用者はゆっくりとした模様の変化を楽しむことができる。
【００３２】
また、請求項３記載の万華鏡にあっては、上記主要画像構成部は、上記覗き孔と上記背景画構成部との間に張設された透明幕により形成され、当該透明幕に主要画像が表示されることから、主要画像は比較的容易な透明幕の張設構造を介して表示できる利点がある。
【００３３】
また、請求項４記載の万華鏡にあっては、上記主要画像構成部は、上記主要画像の覗き孔側の面を明るくする入光部を有することを特徴とするので、上記主要画像を強調できる。
【００３４】
また、請求項５記載の万華鏡にあっては、上記主要画像は、キリスト、仏像又は十字架の宗教的象徴物であることから、使用者に信仰心を喚起することもできる。
【００３５】
また、請求項６記載の万華鏡にあっては、上記小径の遊動物は、ビーズ、小石又は、色紙の小片であることから、非常に美しい画像を安価に形成することができる。
【図面の簡単な説明】
【図１】本発明の実施例を示す一部切截側面図である。
【図２】図１ＡーＡ線に沿う拡大断面図である。
【符号の説明】
１  閉塞一方端面壁
２  覗き孔
３  外筒
４  中央部分
５  鏡板
６  鏡筒部
７  一方端部
８  主要画像構成部
９  他方端部
１０  背景画構成部
１１  四辺形枠部
１２  透明幕
１２ａ  透明部分
１３  主要画像
１４  中空密閉体
１５  封入流動物
１６  遊動物
１７  小片
１８  ビーズ
１９  入光部
２０  万華鏡
【図１】
2004294867.tif 000003
【図２】
2004294867.tif 000004